(57)【要約】【課題】  限りある資源を消費して今日の繁栄を享受している人類は、夢のエネルギーとしていた原子力は、制御不能の災害をもたらしているのは、日々メデアの報じる通りです。【解決手段】  島国で資源の乏しい我国では、頭脳を絞つての一つとして、海の恵みの自然エネルギーの、海水の力でレシプロポンプを駆動して高所に水をあげ、この水を落下させて発電装置を駆動して発電する。【選択図】図２
2019070380.tif 000002
【特許請求の範囲】
【請求項１】
汐の流れの抵坑でブレードの角度が変わる、自動可変ピッチプロペラで、寄せる流れ、返す流れでも、常に同一方向に間歇回転する駆動力で、レシプロポンプを駆動させて高い所のタンクに水を揚げ、この水を落下させて発電させ、下のタンクに一旦収容、この水をレシプロポンプで高い所のタンクえと、完全なる循環サイクルを形成する、
以上の構成より成る、海水力による擬似永久機関改。
【発明の詳細な説明】
【技術分野】
【０００１】  本発明は、寄せる汐、返す汐を利用して、陸地に設けた真水の循環装置を駆動して、電力を創り出す装置に関する。
【背景技術】
【０００２】  従来、海水を利用するのは、舟の運行、製塩業、潮流発電等が少数有るくらいである。
【発明の概要】
【発明が解決しようとする課題】
【０００３】  これは次のよな欠点があつた
利用出来る海の現象は、人がコントロール困難な、自然現象であるからである。【０００４】  本発明は、このような従来の構成が有していた問題を解決しようとするものであり、自然現象である、寄せる波、返す波で発生する海水の動きを利用するものである。
【課題を解決するための手段】
【０００５】  本発明は、陸地２にアングル等で作られた棚１６に、本発明の諸器具、諸機材等を取り付ける棚１６を、基礎２に長年の使用に耐えるように設ける。【０００６】    棚１６の上の部分に、大容量の真水タンク２８を設け、下にも、上のタンク２８より少し大きいタンク２９をを設ける。【０００７】  このように設備して、上のタンク２８の水を落下させ、その水力で発電装置２７を駆動して、発電し、発電機２７を駆動し終えた水は、下のタンク２９に落下収容される。【０００８】  真水は、下のタンク２９に収容貯水されるので、この水を、自動可変ピッチプロペラ１で創り出された回転力を、一対の傘歯車（１１と１３）で水平往復運動にして、設けられた、シリンダー１７内のピストン１８が下の大タンク２９の真水を、上ノタンク２８に送り、上ノタンク２８の水面を常時保つので、外界が如何なる状況にも影響されないので、発電装置２７は定速回転を保たれるので、電気のもつ苦手を生じさせないで  一定ボルト、一定アンペアで、装置の故障、機材の耐用限度まで、勿論日々の保守点検を行なうことは必要である。【０００９】  以上記述したように、本発明の骨子は、海水の力で駆動される、自動可変ピッチプロペラ１で、海の自然現象を利用したものである。
【課題を解決するための手段】
【００１０】  本発明にあつては、海の創り出す、寄せる汐、返す汐の両汐を効率良く利用するために、次のようになす。【００１１】  寄せる汐、返す汐の周期は、約６秒である。（駿河湾沼津市今沢海岸実測：本年９月）【００１２】  この約６秒前後の間歇運動を、連続した運動とするための手段として、次ぎの如くなす。【００１３】  海と陸地２に亙つて、本装置設置にあっては、大波や、台風等を想定した、強固で長年の使用に耐えるように、コンクリート等で固めて基礎２とする。【００１４】  この基礎２に、本装置では、海岸線に直角に、陸地に向かい、引き汐の時でも、本装置プロペラ１が海中にあつて、寄せる汐、返す汐でも間断なく回転するように設ける。【００１５】  海の水は、前述の如く、常に上下左右に動いていおり、加えて流木や、流れ藻、流木は大きなもの、流れ藻は長いももあり、プロペラ１が能力を発揮すように、海水に強い、例えば金属で防錆のコーテイングをしたも、或るいはステンレス製等の、例えば  四角形の保護檻３で、プロペラ１の保護と、円滑な回転を阻害する、流木や流れ藻等から守る。【００１６】  従つて、保護檻３は、次の如く設ける、
１、上下左右と千変万化する海流を受けるプロペラ１には、左右二本の揺れ止バー４を      設ける、
２、プロペラ１が変化流動する海水を受けて、常時最も効率良く回転運動する高さを維      持するために、浮き袋５を設る、
４、更に、四角形の檻３の、海側端から陸側端迄は、上下にゆさぶられるように動かさ      れるので、檻３の中心を貫通するように設けられたプロペラ軸６は、陸地２に固定      された傘歯車１１の軸６に、ユニバーサルジョイント７と、伸縮自在のスプライン      ８を設ける。【００１７】  陸地２側には、小傘歯車１１用スタンド１０を設け、これと直角に大傘歯車１３用スタンド１３を設けて、各々が係合するするように設ける。【００１８】  更にその奥の陸地２には、アングルで大きな棚１６を、各々の機材が配置取り付けられるように設ける。【００１９】  大傘歯車１３の傘歯の少し内側の一点に、短軸１４を設けて、棚１６に固着されたピストン１８を駆動する、ピストンロツド１５は長目に設けて、固定されたシリンダー１７のピストを円滑に駆動させるように設ける。【００２０】  シリンダー１７内の先端向きに、中間隔離壁１９を設けて、上側の排出孔２０方に逆止弁２２を、下方の給水孔２１には、吸入用逆止弁２３を付加して設ける。【００２１】  ２４は排水パイプで、上部に設けた上大タンク２８に注水する。【００２２】  上大タンク２８の底より下方に落下パイプ２６を設けて、先端辺に発電装置２７を設けて発電し、利用済の水は、下の大タンク２９に還元される。【００２３】  本装置は、上大タンク２８から、落下して下大タンク２９に溜まつた水が一定の水位にに達した時、ピストンは吸水して、次ぎの排水行程で上のタンク２８に送り、水位を保のである。【００２４】  以上のように装置して、このよな働きをするので、本発明の名称は次ぎにします。【００２５】    海水の力を利用して、真水を循環させて創り出す半永久発電装置。
【発明の効果】
【００２６】  上述したように本発明の海水力利用の、発電装置は、間歇運動や、大汐、小汐等の変動、季節、昼夜の別なく、日常の保守点等の宜しきを得れば、さしたる費用もかからず、機械装置破損するまで、半永久的に動力を創りを実現するものであり、海水力による動力創り出し装置の完成であり、安価に動力を半永久的に提供するものである。
【図面の簡単な説明】
【００２７】
【図１】  本発明の実施形態で、本装置の側面図。
【図２】  本発明の要部の大半を表示したもので、アングル製の棚に、主要機器の配置を示しています。図
【図３】  本発明の自動可変ピッチプロペラの平面図。
【図４】  本発明の自動可変ピッチプロペラの正面図で、分厚い軸承基盤に、自動可変ピッチプロペラの翼端を、長軸のボルトで揺動自在に緩くはめて、分厚い四角形基盤の四隅の表に２、裏にも２のストパーを凸起して設ける。
【発明を実施するための形態】
【００２８】  以下本発の実施の形態の１つを、図１に基づいて説明する。
【００２９】  ５は浮き袋で、プロペラ１が、常に最良の回転をする高さを、キープする。
【００３０】  プロペラ軸６は、激しい上下左右の揺れを、揺れ止４で軽減させて、ユニバーサルジョイント７、スプライン８で、陸地の基礎１に設けられた、真水循環装置を駆動する。
【００３１】                                                        摺
６は駆動軸で、レシプロポンプを駆動するので、傘歯車１１のスタンド１０を設けて傘歯車Ａ１１を回転自在に設け、之１１Ａと直角に係合する傘歯車Ｂの、軸承スタンド１２を基礎２に設けて傘歯車Ｂの軸を設けてを係合させ、図２に示す如く、傘歯の内側に、短軸１４を設けてコンロッド１５を係合させる。
【００３２】  コンロット１５は、更に陸地２の奥に、基礎２からアングルで枠組した棚１６に、取り付けられたシリンダー１７内の、ピストン１８を摺動させる。
【００３３】  シリンダー１７内部でピストン１８の上死点より、少し間隔を空けて、隔離壁１９を設ける。
【００３４】  隔離壁１９には、圧縮行程でシリンダー１７内に充満していた真水を逆止弁２２を開いて、排水管２４経由で、上の大タンク２８に送致する。
【００３５】  上の大タンク２８には、海流の寄せる汐、帰す汐と流れの遅速、汐の変り目の流れの中断等の不規則、且つ、量的にも不均一な真水を寄せ集めてプールする。
【００３６】  ２６は落下用パイプで、上の大タンク２８内の水を落下させて、先端部の発電装置２７を駆動して発電する。
【００３７】  以上のように、プールされた大量の真水で、常時一定水量、一定水圧で、昼夜の別なく発電するので、電気固有のウイークポイントの、電圧、電流が安定しているので、変圧器等の諸機材、諸器具が不要で、例えば、電柱にこれ等諸機材、諸器具を装着するには、それなりの諸設備も必要で、之が不要であるので、発電コスト等の軽減が計られる。
【符号の説明】
【００３９】    全装着品を記載致します、
１  全自動可変ピッチプロペラ        ２  陸地（基礎）
３  保護篭                          ４  係留バー
５  浮き袋                          ６  主軸
７  ユニバーサルジョイント          ８  スプライン
９  軸承スタンドＡ                １０  軸承スタンドＢ
１１  傘歯車小                      １２  軸承スタンドＣ
１３  傘歯車大                      １４  短軸
１５  ロングコンロッド              １６  棚（アングル製）
１７  シリンダー                    １８  ピストン
１９  隔離壁                        ２０  排水孔
２１  給水孔                        ２２  排水孔逆止弁
２３  給水孔逆止弁                  ２４  排水パイプ
２５  給水パイプ                    ２６  落下水パイプ
２７  発電装置                      ２８  上の大タンク
２９  下の大タンク
【図１】
2019070380.tif 000003
【図２】
2019070380.tif 000004
【図３】
2019070380.tif 000005
【図４】
2019070380.tif 000006